(57)【要約】【課題】目視できない状況でも容易に嵌合でき、耐久性に優れたコネクタを提供する。【解決手段】ソケット１とプラグ２とを嵌合させて、ソケット１の一方の端部に接続される第１接続線１５とプラグ２の一方の端部に接続される第２接続線２５との中継を行うコネクタ１００は、ソケット１が、円筒形の一方の開口部１１ａから周方向に沿った少なくとも１箇所を、最深部１１ｂがＶ字状となるように切り欠いて形成される切欠部１１３と、開口部１１ａの周方向に沿った少なくとも１箇所から突出し、先端が略Ｖ字状となるように形成された第１案内部１１１と、円筒形の側面部にプラグ２との嵌合時に係止して掛止めする掛止め部１１２と、を有し、プラグ２が、切欠部１１３に挿入嵌合し先端が略Ｖ字状で形成された第２案内部２１１と、ソケット１との嵌合時に掛止め部１１２と係止するツメ部２１２と、を有する。【選択図】図１
2010165483.tif 000002
【特許請求の範囲】
【請求項１】
ソケットとプラグとを嵌合させて、前記ソケットの一方の端部に接続される第１接続線と前記プラグの一方の端部に接続される第２接続線との中継を行うコネクタであって、
前記ソケットが、円筒形の一方の開口部から周方向に沿った少なくとも１箇所を、最深部がＶ字状となるように切り欠いて形成される切欠部と、前記開口部の周方向に沿った少なくとも１箇所から突出し、先端が略Ｖ字状となるように形成された第１案内部と、前記円筒形の側面部に前記プラグとの嵌合時に係止して掛止めする掛止め部と、を有し、
前記プラグが、前記切欠部に挿入嵌合し先端が略Ｖ字状で形成された第２案内部と、前記ソケットとの嵌合時に前記掛止め部と係止するツメ部と、を有するコネクタ。
【請求項２】
前記ツメ部は、前記ソケットと前記プラグとの嵌合方向後ろ側に前記嵌合方向に対して垂直な垂直面を有し、嵌合方向前側に前記嵌合方向後ろ側に傾斜する傾斜面を有して軸方向断面が台形状で形成されてある請求項１に記載のコネクタ。
【請求項３】
前記プラグ及び前記ソケットの少なくともいずれか一方のツメ部の嵌合方向後ろ側に冶具による解除可能な空間が設けられている請求項１又は２に記載のコネクタ。
【請求項４】
前記プラグに所定の深さを有する凹部が形成されている請求項３に記載のコネクタ。
【請求項５】
前記プラグに軸心方向に沿ったリブが形成されている請求項４に記載のコネクタ。
【請求項６】
前記第１接続線及び前記第２接続線の少なくともいずれか一方が、芯線と、当該芯線を覆う第１絶縁部と、当該第１絶縁部を更に覆う第２絶縁部との３層構造のケーブルで構成され、
前記ケーブルを前記ソケット及び前記プラグの少なくともいずれか一方と接続する際に、前記第１絶縁部と圧入されるケーブルパッキンが用いられる請求項１から４のいずれか一項に記載のコネクタ。
【請求項７】
前記ケーブルパッキンが、前記ソケットを構成するボディ及び前記プラグを構成するボディの少なくともいずれか一方と、前記ケーブルパッキンを覆って前記ボディに固定されるキャップとの嵌合時に押しつぶされ、夫々の隙間を埋めるように形成されてある請求項６に記載のコネクタ。
【発明の詳細な説明】
【技術分野】
【０００１】
本発明は、ソケットとプラグとを嵌合させて、ソケットの一方の端部に接続される第１接続線とプラグの一方の端部に接続される第２接続線との中継を行うコネクタに関する。
【背景技術】
【０００２】
電気機器等においては、通電用の電源ケーブルや信号伝達用の信号ケーブルが多く用いられる。このような電源ケーブルや信号ケーブルを延長したり信号を他の電気機器に伝達したりする際に、ケーブルとケーブルとを接続するケースがある。このような接続においては、一方のケーブルの一端にソケットを取り付けると共に、他方のケーブルの一端にプラグを取り付けて、ソケットとプラグとを嵌合させて所期の目的を実現するコネクタが広く用いられる。この種のコネクタとして、下記に出典を示す特許文献１−４に記載のものがある。
【０００３】
特許文献１に記載のコネクタは、互いに嵌合可能な一対のコネクタハウジングと、当該一対のコネクタハウジングの嵌合動作に伴って両方のコネクタハウジングを嵌合状態にロックするロック手段とを備えて構成される。
【０００４】
また、特許文献２に記載の防水コネクタは、リセプタクル側コネクタとプラグ側コネクタとからなる。リセプタクル側コネクタは挿入孔部の開放端側外周部に一体形成された係合部が備えられる。当該係合部は、開放端側外周部と同心状で外周部と所定間隙を有して配設された薄肉でかつ同幅の環状係合体と、外周部と環状係合体の内周面とを互いに連結する支持片とを備えている。また、プラグ側コネクタは挿入孔部内に遊嵌状に挿入される挿入突部を備え、挿入状態で挿入孔部内周面と挿入突部外周面とで圧縮変形されて相互間を液密状にシール可能に、挿入突部の外周部にＯリングが抜止保持される。さらに、プラグ側コネクタは環状係合体に抜止状に係止される被係合部を備える。
【０００５】
また、特許文献３に記載のコネクタは、円筒状からなる、軸方向に互いに前進させることで同心状に嵌合される一対のコネクタハウジングを有している。そして、いずれか一方のコネクタハウジングに形成された溝と他方のコネクタハウジングに形成されたリブとが嵌合した状態で、一対のコネクタハウジングが周方向の相対回転を規制しつつ、軸方向の嵌合動作を許容されるようになっている位置決め手段を備える。また、溝とリブとが嵌合しない状態で、その両コネクタハウジングを概ね同心状に且つ周方向の相対回転を可能に案内するガイド手段も備えられる。
【０００６】
また、特許文献４に記載される嵌合誘導機能付きコネクタは、嵌合する一対のコネクタハウジングのうち、一方のコネクタハウジングに他方のコネクタハウジングを受け入れる套体部が設けられる。そして、当該套体部の上下左右の周壁には、夫々嵌合方向へ向けて拡開した対向する傾斜面を設けると共に、隣り合う当該傾斜面の嵌合方向における端部が相互に近接し、他方のコネクタハウジングの上下左右の外周壁に案内突起を備えて構成される。また、対向する傾斜面の底部に案内突起を受け入れる係止孔が設けられる。
【先行技術文献】
【特許文献】
【０００７】
【特許文献１】特開平１０−１６２８９６号公報
【特許文献２】特開平１１−１３５１９０号公報
【特許文献３】特許第３０７７６９６号明細書
【特許文献４】特許第３１９１９０９号明細書
【発明の概要】
【発明が解決しようとする課題】
【０００８】
特許文献１に記載のコネクタが一対のコネクタハウジングを嵌合させる際、互いのコネクタハウジングが備えるロック手段の位置がずれている場合にはロック手段が機能しない。このため、嵌合させる際には目視にてロック手段の位置合わせを行う必要がある。
【０００９】
また、特許文献２に記載の防水コネクタがリセプタクル側コネクタとプラグ側コネクタとを嵌合させる際にも、上記特許文献１のロック手段と同様、目視にて位置合わせを行う必要がある。
【００１０】
また、特許文献３に記載のコネクタは、一対のコネクタハウジングを押し付けながら周方向に回転することにより目視不要で嵌合が可能な構成となっている。しかしながら、このような押し付け回転により、コネクタハウジングに余計な応力が加えられることになるので当該応力に耐えうる強度を有するように形成する必要がある。
【００１１】
また、特許文献４に記載の嵌合誘導機能付きコネクタは、一方のコネクタハウジングに対して他方のコネクタハウジングがいずれかの方向に最も大きくずれた場合であっても案内可能なように案内突起の長さを長く形成しておく必要がある。このため、一対のコネクタハウジングを適切に嵌合させた場合であっても、コネクタハウジングから案内突起が大きく突出するので、案内突起がコネクタ以外のものに引っ掛かり破損してしまう可能性がある。
【００１２】
本発明の目的は、上記問題に鑑み、目視できない状況であっても容易に嵌合でき、耐久性に優れているコネクタを提供することにある。
【課題を解決するための手段】
【００１３】
上記目的を達成するための本発明に係るコネクタの特徴構成は、ソケットとプラグとを嵌合させて、前記ソケットの一方の端部に接続される第１接続線と前記プラグの一方の端部に接続される第２接続線との中継を行うために、前記ソケットが、円筒形の一方の開口部から周方向に沿った少なくとも１箇所を、最深部がＶ字状となるように切り欠いて形成される切欠部と、前記開口部の周方向に沿った少なくとも１箇所から突出し、先端が略Ｖ字状となるように形成された第１案内部と、前記円筒形の側面部に前記プラグとの嵌合時に係止して掛止めする掛止め部と、を有し、前記プラグが、前記切欠部に挿入嵌合し先端が略Ｖ字状で形成された第２案内部と、前記ソケットとの嵌合時に前記掛止め部と係止するツメ部と、を有する点にある。
【００１４】
このような特徴構成とすれば、嵌合初期の段階でソケットとプラグとの周方向の向きが合っていない場合でも、ソケットの切欠部とプラグの第２案内部とにより、嵌合途中でソケット及びプラグの周方向の向きが矯正され適切に嵌合させることができる。このため、目視確認できない状況であっても容易に嵌合させることができる。また、上述のように、嵌合途中でソケット及びプラグの周方向の向きが矯正されるので、ソケット及びプラグの嵌合部位を損傷させることがない。このため、耐久性の優れたコネクタを実現することができる。
【００１５】
また、前記ツメ部は、前記ソケットと前記プラグとの嵌合方向後ろ側に前記嵌合方向に対して垂直な垂直面を有し、嵌合方向前側に前記嵌合方向後ろ側に傾斜する傾斜面を有して軸方向断面が台形状で形成されてあると好適である。
【００１６】
このような構成とすれば、プラグのツメ部がソケットの掛止め部に係止する際、嵌合方向前側の面が嵌合方向後ろ側に傾斜する傾斜面で形成されているので、ツメ部が破損されることがない。また、プラグのツメ部がソケットの掛止め部に係止した場合には、ツメ部の嵌合方向後ろ側の面が嵌合方向に垂直な垂直面で形成されているので、係止が容易に解除され、嵌合が解除されることを防止できる。
【００１７】
また、前記プラグ及び前記ソケットの少なくともいずれか一方のツメ部の嵌合方向後ろ側に冶具による解除可能な空間が設けられていると好適である。
【００１８】
このような構成とすれば、空間に冶具を挿入してツメ部の係止を容易に解除することが可能となる。
【００１９】
また、前記プラグに所定の深さを有する凹部が形成されていると好適である。
【００２０】
このような構成とすれば、凹部に例えばマイナスドライバのような細い板状の剛体を挿入し、てこの原理を利用して挿入した点を支点として剛体を引き起こすことにより、ソケットの掛止め部とプラグのツメ部との係止を容易に解除することが可能となる。
【００２１】
また、前記プラグに軸心方向に沿ったリブが形成されていると好適である。
【００２２】
このような構成とすれば、凹部への冶具の挿入を容易に行うことができる。
【００２３】
また、前記第１接続線及び前記第２接続線の少なくともいずれか一方が、芯線と、当該芯線を覆う第１絶縁部と、当該第１絶縁部を更に覆う第２絶縁部との３層構造のケーブルで構成され、前記ケーブルを前記ソケット及び前記プラグの少なくともいずれか一方と接続する際に、前記第１絶縁部と圧入されるケーブルパッキンが用いられると好適である。
【００２４】
このような構成とすれば、一旦、配設されたケーブルはケーブルパッキンから抜き取ることはないため、ケーブルとケーブルパッキンとの液密性を長期間にわたって維持することができる。したがって、例えば屋外で使用された場合であっても、ケーブルの芯線を確実に防水することが可能となる。
【００２５】
また、前記ケーブルパッキンが、前記ソケットを構成するボディ及び前記プラグを構成するボディの少なくともいずれか一方と、前記ケーブルパッキンを覆って前記ボディに固定されるキャップとの嵌合時に押しつぶされ、夫々の隙間を埋めるように形成されてあると好適である。
【００２６】
このような構成とすれば、更に液密性を高めることが可能となる。また、ケーブルパッキンがボディとキャップとで圧入されるので、コンタクトをボディに挿入する際にスムーズに行うことができる。このため、挿入しきった際に起こるランスの感触によって、ユーザが適切に挿入できたか否かの確認を容易に行うことが可能となる。
【図面の簡単な説明】
【００２７】
【図１】コネクタを模式的に示す上方斜視図である。
【図２】ソケットの展開図である。
【図３】プラグの展開図である。
【図４】嵌合方向と直交する方向から第２案内部が正面となるように第２ボディを示す図である。
【図５】ソケットとプラグとの嵌合について示す図である。
【図６】ソケットとプラグとの嵌合状態における断面を模式的に示す図である。
【図７】ソケットとプラグとの嵌合を解除について示す図である。
【図８】その他の実施形態のプラグについて示す図である。
【図９】リングを用いた場合の接続について示す図である。
【図１０】その他の実施形態に係るケーブルパッキンを用いた接続を示す図である。
【発明を実施するための形態】
【００２８】
以下、本発明の実施例を図面に基づいて説明する。図１は本発明に係るコネクタ１００を模式的に示した上方斜視図である。本コネクタ１００は、ソケット１とプラグ２とを備えて構成される。当該コネクタ１００によれば、ソケット１とプラグ２とを嵌合させて、ソケット１の一方の端部に接続される第１接続線１５とプラグ２の一方の端部に接続される第２接続線２５との中継を行うことが可能である。以下、このようなコネクタ１００に関して説明する。なお、本実施形態においては、第１接続線１５は第１ケーブル１５であるとして説明し、第２接続線２５は第２ケーブル２５であるとして説明する。
【００２９】
図２はソケット１の構造を理解し易くするためにソケット１を展開した図である。ソケット１は第１ボディ１１、第１コンタクト１２、第１キャップ１３、第１ケーブルパッキン１４から構成され、ソケット１の一方の端部に第１ケーブル１５が接続される。
【００３０】
第１ボディ１１は円筒形状からなり、切欠部１１３と第１案内部１１１と掛止め部１１２とが形成される。切欠部１１３は、円筒形の一方の開口部１１ａから周方向に沿った少なくとも１箇所を、最深部１１ｂがＶ字状となるように切り欠いて形成される。一方の開口部１１ａとは、図２に示されるように第１ケーブル１５が接続される端部とは反対側の端部であり、プラグ２と嵌合する側の端部である。切欠部１１３は少なくとも１つ形成されると良いが、本実施形態では２つであるとして説明する。したがって、切欠部１１３は開口部１１ａから周方向に沿った２箇所が切り欠かれて形成される。図２では上方斜視図であるため切欠部１１３は１つしか視認できないが、他方の切欠部１１３は第１ボディ１１の軸心を挟んで対向する側に形成される。また、切欠部１１３は切り欠いた最深部１１ｂがＶ字状となるように形成される。このＶ字状は完全なＶ字状でなくても良く、例えば最深部１１ｂが丸みをおびて形成されていても良い。すなわち、略Ｖ字状であれば良い。
【００３１】
第１案内部１１１は、開口部１１ａの周方向に沿った少なくとも１箇所から突出し、先端が略Ｖ字状となるように形成される。ここで、上述のように本実施形態では、切欠部１１３は第１ボディ１１の周方向に沿って２つ形成される。本実施形態では、第１案内部１１１は周方向に沿って２つの切欠部１１３の間に夫々１つずつ形成される。第１案内部１１１は突出した先端が略Ｖ字状となるように形成される。このＶ字状は完全なＶ字状でなくても良く、例えば先端が丸みを帯びて形成されていても良い。すなわち、略Ｖ字状であれば良い。
【００３２】
掛止め部１１２は、円筒形の側面部にプラグ２との嵌合時に係止して掛止めする。特に掛止め部１１２は、図２に示されるように円筒形の側面部のうち、第１案内部１１１の嵌合方向手前の領域を所定の形状でくり抜いて形成される。ここで、掛止め部１１２はソケット１とプラグ２とが嵌合された場合に、後述するプラグ２が備えるツメ部２１２と係止して掛止めする。したがって、所定の形状とはツメ部２１２と係止可能な形状を意味する。
【００３３】
第１コンタクト１２は導電可能な金属で形成される。第１コンタクト１２の一方の端部１２ａは、後述するプラグ２が備える第２コンタクト２２と嵌合可能な形状で形成される。また、第１コンタクト１２の他方の端部１２ｂは、第１ケーブル１５の芯線１５ａと接続可能な形状で形成される。第１ケーブル１５の芯線１５ａを第１コンタクト１２の端部１２ｂで挟持し（図６参照）、更には、かしめることにより、芯線１５ａが第１コンタクト１２から抜けないようにすることが可能である。詳細は後述するが、第1ケーブル１５をソケット１と接続する際には、当該第1ケーブル１５の第１絶縁部１５ｂと圧入される第1ケーブルパッキン１４が用いられる。
【００３４】
第１ケーブルパッキン１４はソケット１を構成する第１ボディ１１と第１キャップ１３との嵌合に用いられる。第１ケーブルパッキン１４は一方の端部に小孔部１４１が形成され、他方の端部に大孔部１４２が形成される。小孔部１４１の内径は第１ケーブル１５の芯線１５ａを被覆する第１絶縁部１５ｂの外径よりも小さく形成される。すなわち、第１ケーブルパッキン１４は第１絶縁部１５ｂの径方向外側面と小孔部１４１の径方向内側面とで圧入される。このため、小孔部１４１に第１絶縁部１５ｂを挿通させた場合に、液密可能に封じることができる（図６参照）。また、更に液密性を高めるために、大孔部１４２の内径を第１絶縁部１５ｂの外側を更に被覆する第２絶縁部１５ｃの外径よりも小さく形成しても良い。すなわち、第１ケーブルパッキン１４は第２絶縁部１５ｃの径方向外側面と大孔部１４２の径方向内側面とで圧入するように形成しても良いし、大孔部１４２の径方向外側面と第１ボディ１１の径方向内側面とで圧入するように形成しても良い。もちろん、同等の径とすることも大きくすることも可能である。そして、第１ケーブルパッキン１４は第１ボディ１１と第１キャップ１３とを嵌合する際に圧縮される。すなわち、第１ケーブルパッキン１４は大孔部１４２の嵌合方向後ろ側の面と第１キャップ１３の嵌合方向前側の面とで圧入するように形成される。したがって、第１ボディ１１と第１キャップ１３とを嵌合する場合に（嵌合時に）、第１ケーブルパッキン１４が押しつぶされながら夫々の隙間を埋めることが可能となる。
【００３５】
第１キャップ１３は第１ケーブル１５を挟持する第１コンタクト１２と、第１ケーブルパッキン１４とを覆って第１ボディ１１に固定する。係る場合、第１ボディ１１に備えられるキャップ固定用ツメ１１ｃが、第１キャップ１３の側面に形成された孔部１３ａに係止するように固定すると好適である。
【００３６】
第１ケーブル１５は、芯線１５ａと、当該芯線１５ａを覆う第１絶縁部１５ｂと、当該第１絶縁部１５ｂを更に覆う第２絶縁部１５ｃとの３層構造で形成される。芯線１５ａは、導電可能な金属から形成される。このような構造でソケット１は構成される。
【００３７】
図３はプラグ２の構造を理解し易くするためにプラグ２を展開した図である。プラグ２は第２ボディ２１、第２コンタクト２２、第２キャップ２３、第２ケーブルパッキン２４、パッキン２６から構成され、第２ケーブル２５が接続される。
【００３８】
第２ボディ２１は円筒形状からなり、第２案内部２１１とツメ部２１２とが形成される。第２案内部２１１は、切欠部１１３に挿入嵌合し先端が略Ｖ字状で形成される。この第２案内部２１１は最深部がＶ字状で形成された切欠部１１３と嵌合可能な形状で形成される。ここで、上述のように本実施形態では、切欠部１１３は２つであるとして説明している。したがって、第２案内部２１１も２つ形成される。第２案内部２１１は切欠部１１３と同様に夫々の第２案内部２１１が第２ボディ２１の軸心を挟んで互いに対向するように形成される。なお、第２案内部２１１は、上述の第１案内部１１１と同様に完全なＶ字状でなくても良く、略Ｖ字状であれば良い。もちろん、丸みを帯びて形成されていても良い。
【００３９】
ツメ部２１２は、ソケット１との嵌合時に掛止め部１１２と係止する。ツメ部２１２はソケット１とプラグ２とを嵌合させる際に、容易にその嵌合が抜けないように掛止め部１１２と係止可能な位置に設けられる。このため、ソケット１の掛止め部１１２とプラグ２のツメ部２１２とが係止状態となった場合には、容易にソケット１とプラグ２との嵌合を抜けにくくすることが可能となる。
【００４０】
第２コンタクト２２は導電可能な金属で形成される。第２コンタクト２２の一方の端部２２ａは、ソケット１が備える第１コンタクト１２と嵌合可能な形状で形成される。また、第２コンタクト２２の他方の端部２２ｂは、第２ケーブル２５の芯線２５ａと接続可能な形状で形成される。第２ケーブル２５の芯線２５ａを第２コンタクト２２の端部２２ｂで挟持し（図６参照）、更には、かしめることにより、芯線２５ａが第２コンタクト２２から抜けないようにすることが可能である。詳細は後述するが、第２ケーブル２５をプラグ２と接続する際には、当該第２ケーブル２５の第１絶縁部２５ｂと圧入される第２ケーブルパッキン２４が用いられる。
【００４１】
第２ケーブルパッキン２４はプラグ２を構成する第２ボディ２１と第２キャップ２３との嵌合に用いられる。第２ケーブルパッキン２４は一方の端部に小孔部２４１が形成され、他方の端部に大孔部２４２が形成される。小孔部２４１の内径は第２ケーブル２５の芯線２５ａを被覆する第１絶縁部２５ｂの外径よりも小さく形成される。すなわち、第２ケーブルパッキン２４は第１絶縁部２５ｂの径方向外側面と小孔部２４１の径方向内側面とで圧入される。このため、小孔部２４１に第１絶縁部２５ｂを挿通させた場合に液密可能に封じることができる（図６参照）。また、更に液密性を高めるために、大孔部２４２の内径を第１絶縁部２５ｂの外側を更に被覆する第２絶縁部２５ｃの外径よりも小さく形成しても良い。すなわち、第２ケーブルパッキン２４は第２絶縁部２５ｃの径方向外側面と大孔部２４２の径方向内側面とで圧入するように形成しても良いし、大孔部２４２の径方向外側面と第２ボディ２１の径方向内側面とで圧入するように形成しても良い。もちろん、同等の径とすることも大きくすることも可能である。そして、第２ケーブルパッキン２４は第２ボディ２１と第２キャップ２３とを嵌合する際に圧縮される。すなわち、第２ケーブルパッキン２４は大孔部２４２の嵌合方向後ろ側の面と第２キャップ２３の嵌合方向前側の面とで圧入するように形成される。したがって、第２ボディ２１と第２キャップ２３とを嵌合する場合に（嵌合時に）、第２ケーブルパッキン２４が押しつぶされながら夫々の隙間を埋めることが可能となる。
【００４２】
第２キャップ２３は、第２ケーブル２５を挟持する第２コンタクト２２と、第２ケーブルパッキン２４とを覆って第２ボディ２１に固定する。係る場合、第２ボディ２１に備えられるキャップ固定用ツメ２１ｃが、第２キャップ２３の側面に形成された孔部２３ａに係止するように固定すると好適である。
【００４３】
第２ケーブル２５は、芯線２５ａと、当該芯線２５ａを覆う第１絶縁部２５ｂと、当該第１絶縁部２５ｂを更に覆う第２絶縁部２５ｃとの３層構造で形成される。芯線２５ａは、導電可能に金属から形成される。
【００４４】
パッキン２６は、第２ボディ２１の周囲に備えられ、ソケット１とプラグ２との嵌合時に圧縮されてソケット１とプラグ２の隙間を埋める。第２ボディ２１の周囲とは、第２ボディ２１の外周部である。ソケット１とプラグ２との嵌合時には、パッキン２６が第２ボディ２１の外周部と第１ボディ１１の内周部との隙間を埋めるように機能するため、第１コンタクト１２と第２コンタクト２２と液密可能に嵌合させることが可能となる。このような構造でプラグ２は構成される。なお、パッキン２６はオーリングとすることも可能である。
【００４５】
図４（ａ）は嵌合方向と直交する方向から第２案内部２１１が正面となるように第２ボディ２１を示した図であり、図４（ｂ）は図４（ａ）を第２ボディ２１の軸心方向に沿って９０度回転した場合の図である。第２ボディ２１の側面部には２つのツメ部２１２が備えられる。ツメ部２１２の１つ２１２ａは、ソケット１とプラグ２との嵌合方向後ろ側に嵌合方向に対して垂直な垂直面５１を有し、嵌合方向前側に嵌合方向後ろ側に傾斜する傾斜面５２を有して軸方向断面が台形状で形成される。
【００４６】
嵌合方向後ろ側とは第２ケーブル２５が接続される側である。したがって、垂直面５１はツメ部２１２ａが有する面のうち、第２ケーブル２５が接続される側の面である。また、垂直面５１は嵌合方向に対して直交するように形成される。なお、嵌合方向に対して垂直とは垂直だけに限定されるものではない。垂直から例えば数度程度ずれるように形成することも当然に可能である。
【００４７】
また、嵌合方向前側とはソケット１と嵌合する側である。したがって、傾斜面５２はツメ部２１２ａが有する面のうち、ソケット１と嵌合する側の面である。また、傾斜面５２は嵌合方向後ろ側に傾斜するように形成される。すなわち、第２ボディ２１の軸心方向と平行な側面部と傾斜する傾斜面５２とのなす角度θが、９０度より大きく１８０度より小さい範囲となるように形成される。ツメ部２１２ａはこのような面を有し、図４（ａ）に示されるようにプラグ２の軸方向に沿った軸方向断面が台形となるように形成される。
【００４８】
また、ツメ部２１２の他の１つ２１２ｂはソケット１とプラグ２との嵌合方向後ろ側に嵌合方向に対して嵌合方向前側に傾斜する傾斜面５３を有し、嵌合方向前側に嵌合方向後ろ側に傾斜する傾斜面５４を有して軸方向断面が台形状で形成される。そして、ツメ部２１２ｂは図４（ａ）に示されるように軸方向断面が台形となるように形成される。
【００４９】
プラグ２は、図４（ｂ）に示されるようにツメ部２１２の１つ２１２ａの嵌合方向後ろ側に、所定の深さを有する凹部２１４が形成される（図７参照）。また、プラグ２には少なくとも凹部２１４の幅よりも小さい間隔を有して、プラグ２の軸心方向に沿って２つのリブ２１５が形成される。この凹部２１４とリブ２１５とは、第１ボディ１１の掛止め部１１２と第２ボディ２１のツメ部２１２ａとの係止状態を解除する際に用いられる（詳細は後述する）。
【００５０】
次に、ソケット１とプラグ２との嵌合について図５を用いて説明する。図５（ａ）はソケット１にプラグ２を嵌合させる際の初期段階を示した図である。図５（ａ）に示されるように、嵌合初期において周方向の位置がずれている場合であってもプラグ２を嵌合奥側に進入させることにより、第１ボディ１１が備える第１案内部１１１と、第２ボディ２１が備える第２案内部２１１との夫々が当接する面の向きに応じて、図５（ｂ）に示されるようにプラグ２の周方向の位置が嵌合所期の位置に矯正される。そして、更に、プラグ２を嵌合奥側に進入させることにより、図５（ｃ）に示されるようにプラグ２の周方向の位置が矯正され、ソケット１とプラグ２との嵌合が完了する。係る場合、第１ボディ１１の掛止め部１１２に、第２ボディ２１のツメ部２１２ａが係止して掛止めされる。
【００５１】
ここで、図６は、ソケット１とプラグ２とが嵌合した際の断面を模式的に示した図である。図６に示されるように、ソケット１とプラグ２とを嵌合させた際にはパッキン２６が圧縮応力により押しつぶされて第１ボディ１１と第２ボディ２１との隙間を適切に埋めることが可能となる。このため、ソケット１とプラグ２とが嵌合する部位を液密的に嵌合させることが可能となる。
【００５２】
また、第１ケーブル１５の芯線１５ａが接続された第１コンタクト１２と、第２ケーブル２５の芯線２５ａが接続された第２コンタクト２２とが嵌合することにより、第１ケーブル１５及び第２ケーブル２５が導通可能に接続される。
【００５３】
また、図６に示されるように、第１ケーブル１５の第１絶縁部１５ｂと第１ケーブルパッキン１４の小孔部１４１との間で液密性が確保され、第１ケーブルパッキン１４を第１ボディ１１と第１キャップ１３とで挟み込むことにより第１ケーブルパッキン１４を第１ボディ１１と第１キャップ１３との間の液密性が確保される。したがって、芯線１５ａの液密性を確保することが可能となる。また、第１ケーブルパッキン１４が第１ボディ１１と第１キャップ１３とで圧入されているので、第１コンタクト１２を第１ボディ１１に挿入する際にスムーズに行うことができる。このため、挿入しきった際に起こるランスの感触によって、ユーザが適切に挿入できたか否かの確認を容易に行うことが可能となる。
【００５４】
同様に、第２ケーブル２５の第１絶縁部２５ｂと第２ケーブルパッキン２４の小孔部２４１との間で液密性が確保され、第２ケーブルパッキン２４を第２ボディ２１と第２キャップ２３とで挟み込むことにより第２ボディ２１と第２キャップ２３との間の液密性が確保される。したがって、芯線２５ａの液密性を確保することが可能となる。また、第２ケーブルパッキン２４が第２ボディ２１と第２キャップ２３とで圧入されているので、第２コンタクト２２を第２ボディ２１に挿入する際にスムーズに行うことができる。このため、挿入しきった際に起こるランスの感触によって、ユーザが適切に挿入できたか否かの確認を容易に行うことが可能となる。
【００５５】
次に、ソケット１とプラグ２との嵌合を解除する際の手順について図７を用いて説明する。ソケット１とプラグ２とが嵌合している場合には、図７（ａ）に示されるように、第１ボディ１１の掛止め部１１２と、第２ボディ２１のツメ部２１２ａとが係止して掛止めされている。ソケット１とプラグ２との嵌合を解除する場合には、まず、第１ボディ１１の掛止め部１１２と、第２ボディ２１のツメ部２１２ａとが掛止めを解除する必要がある。このため、プラグ２のツメ部２１２の嵌合方向後ろ側に冶具による解除可能な空間が設けられている。本実施形態では、以下に示すように冶具は剛体Ｔであり、空間は２つのリブ２１５の間の第１案内部１１１と第２ボディ２１との隙間であるとして説明する。
【００５６】
図７（ｂ）に示されるように、２つのリブ２１５の間の第１案内部１１１と第２ボディ２１との隙間に例えばマイナスドライバのような細い板状の剛体Ｔを挿入し、てこの原理を利用して挿入した点を支点として剛体を引き起こすことにより、ソケット１の掛止め部１１２とプラグ２のツメ部２１２ａとの係止を容易に解除することが可能となる。この状態で、ソケット１とプラグ２とを夫々反対方向に引き合うことにより嵌合を解除することができる。なお、剛体Ｔはマイナスドライバに限定されるものではない。
【００５７】
〔その他の実施形態〕
上記実施形態では、第１ボディ１１に形成される切欠部１１３が２つであるとして説明した。しかしながら、本発明の適用範囲は、これに限定されるものではない。切欠部１１３を１つとすることも可能であるし、３つ以上形成することも可能である。係る場合には、切欠部１３の位置に合わせて、第２ボディ２１が備える第２案内部２１１を同じ数だけ形成すると本発明の効果をえることは当然に可能である。
【００５８】
上記実施形態では、ソケット１とプラグ２との嵌合が容易に解除されないように、第１ボディ１１の掛止め部１１２に、第２ボディ２１のツメ部２１２ａが係止して掛止めが行われるとして説明した。しかしながら、本発明の適用範囲は、これに限定されるものではない。例えば、ソケット１とプラグ２との嵌合を必要に応じて比較的容易に解除するように構成することも当然に可能である。このような場合には、嵌合方向後ろ側に垂直面５１を備えるツメ部２１２ａを形成せずに、図８（ａ）に示されるように嵌合方向後ろ側に嵌合方向前側に傾斜する傾斜面５３を備えるツメ部２１２ｂを形成することにより、ソケット１とプラグ２との嵌合を必要に応じて容易に解除することが可能となる。係る場合には、図８（ｂ）に示されるように、２つのリブ２１５を備えないように第２ボディ２１を形成することも当然に可能である。
【００５９】
上記実施形態では、ツメ部２１２のうち、一方のツメ部２１２ａは嵌合方向後ろ側に垂直面５１を備え、他方のツメ部２１２ｂは嵌合方向前側に傾斜する傾斜面５３を備えるとして説明した。しかしながら、本発明の適用範囲は、これに限定されるものではない。図示はしないが、全てのツメ部２１２を嵌合方向後ろ側に嵌合方向に対して垂直な垂直面５１を備えて、より嵌合を解除しにくくすることができる。そして、それに嵌合を解除するためにリブ２１５を設けることも当然に可能である。
【００６０】
上記実施形態では、ケーブルパッキン１４により第１ボディ１１と第１ケーブル１５との液密性が維持されるとして説明した。これらの液密性を更に向上させることも可能である。係る場合には、図９（ａ）及び図９（ｂ）に示されるように、第１ケーブル１５を挿通させたケーブルパッキン１４の小孔部１４１の外周端にリング４０を装着することにより実現できる。図９（ｂ）に示されるように、リング４０でケーブルパッキン１４の小孔部１４１の外周端を締め付けることにより、ケーブルパッキン１４と第１ケーブル１５（特に第１絶縁部１５ｂ）との液密性を更に向上させることも当然に可能である。
【００６１】
上記実施形態では、第１ケーブル１５の第１絶縁部１５ｂと第１ケーブルパッキン１４の小孔部１４１とにより液密性を確保し、第１ケーブルパッキン１４を第１ボディ１１と第１キャップ１３とで挟み込むことにより液密性を確保するとして説明した。しかしながら、本発明の適用範囲は、これに限定されるものではない。第１キャップ１３を用いずに構成することも可能である。係る場合には、第１ケーブルパッキン１４を第１絶縁部１５ｂの径方向外側面と小孔部１４１の径方向内側面とで圧入し、また、第２絶縁部１５ｃの径方向外側面と大孔部１４２の径方向内側面とで圧入し、更に大孔部１４２の径方向外側面と第１ボディ１１の径方向内側面とで圧入すると好適である。このような構成であっても、当然に液密性を確保することが可能である。また、第１ケーブルパッキン１４の小孔部１４１の外径を第１ボディ１１の内径と同様にし、小孔部１４１と第１ボディ１１との間の隙間をなくすような形状とすることも可能である。
【００６２】
また、第１キャップ１３を用いない構成とする場合には、第１ケーブルパッキン１４を第１絶縁部１５ｂの径方向外側面と小孔部１４１の径方向内側面とで圧入し、また、小孔部１４１の径方向外側面と第１ボディ１１の径方向内側面とで圧入可能に第１ケーブルパッキン１４の形状を変更することも可能である。すなわち、第１ケーブルパッキン１４の小孔部１４１の外径を第１ボディ１１の内径よりも大きく変更すると好適である。このような構成であっても、当然に液密性を確保することが可能である。なお、上記では、第１ボディ１１と第１ケーブル１５との液密性の確保について上述したが、同様に第２ケーブルパッキン２４を用いることにより第２ボディ２１と第２ケーブル２５との液密性を確保することも当然に可能である。
【００６３】
上記実施形態では、第１ケーブル１５の第１絶縁部１５ｂと第１ケーブルパッキン１４の小孔部１４１とにより液密性を確保し、第１ケーブルパッキン１４を第１ボディ１１と第１キャップ１３とで挟み込むことにより液密性を確保するとして説明した。しかしながら、本発明の適用範囲は、これに限定されるものではない。例えば、図１０に示されるように、第１ケーブル１５の第２絶縁部１５ｃの外周を、少なくとも当該外周より小さい内径を有する円筒状のケーブルパッキン４１で覆うことにより、第１ケーブル１５とケーブルパッキン４１との液密性を保持することが可能である。すなわち、ケーブルパッキン４１を第２絶縁部１５ｃの径方向外側面とケーブルパッキン４１の径方向内側面とで圧入することにより、液密性を保持することが可能である。また、ケーブルパッキン４１の外径を少なくとも第１ボディ１１の内径よりも大きくしておくことにより、第１ボディ１１とケーブルパッキン４１との液密性を保持することも可能となる。すなわち、ケーブルパッキン４１をケーブルパッキン４１の径方向外側面と第１ボディ１１の径方向内側面とで圧入することにより、液密性を保持することが可能である。したがって、このような構成とすれば、第１キャップ１３を用いることなく、第１ボディ１１と第１ケーブル１５との液密性を確保することが可能となる。なお、第１ボディ１１と第１ケーブル１５との液密性の確保について上述したが、同様のケーブルパッキン４１を用いることにより第２ボディ２１と第２ケーブル２５との液密性を確保することも当然に可能である。
【００６４】
また、図示はしないが、図１０に示されるような形態において、第１キャップ１３を用いて液密性を高めることも可能である。係る場合には、ケーブルパッキン４１をケーブルパッキン４１の嵌合方向後ろ側の面と第１キャップ１３の嵌合方向前側の面とで圧入するように形成される。したがって、ケーブルパッキン４１と第１キャップ１３とで液密性を高めることが可能となる。
【００６５】
上記実施形態では、第１案内部１１１及び第２案内部２１１を略Ｖ字状で形成されているとして説明した。しかしながら、本発明の適用範囲は、これに限定されるものではない。例えば、第１案内部１１１及び第２案内部２１１の少なくともいずれか一方を略Ｖ字状ではなく、丸みを持たせた形状（例えばＵ字状）とすることも当然に可能である。或いは、上述の効果が得られる範囲内において適宜変更可能である。
【００６６】
上記実施形態では、第１接続線１５が第１ケーブル１５であり、第２接続線２５が第２ケーブル２５であるとして説明した。しかしながら、本発明の適用範囲は、これに限定されるものではない。第１接続線１５及び第２接続線２５の少なくともいずれか一方が、各種装置が備えるソケット１やプラグ２であっても良い。すなわち、ケーブル対ケーブルの中継を行うコネクタ１００でなく、基板対基板の中継を行うコネクタ１００であっても良いし、ケーブル対基板の中継を行うコネクタ１００であっても良い。係る場合には、基板内に配線される接続パターンが、第１接続線１５や第２接続線２５に相当する。また、係る場合には、ケーブルパッキン１４やケーブルパッキン２４を用いずに構成することも可能である。
【００６７】
上記実施形態では、リブ２１５は２つであるとして説明した。しかしながら、本発明の適用範囲は、これに限定されるものではない。また、リブ２１５の幅は、凹部２１４の幅よりも小さくても大きくても同等でも構わない。
【００６８】
上記実施形態では、プラグ２に凹部２１４を有すると共に、リブ２１５が形成されるとして説明した。しかしながら、本発明の適用範囲は、これに限定されるものではない。例えば、リブ２１５を備えない構成とすることも可能であるし、ソケット１に凹部２１４を設けることも可能である。なお、その際は、ソケット１のツメ部２１２の嵌合方向後ろ側に位置する箇所を肉薄にするなどして形成すると好適である。
【産業上の利用可能性】
【００６９】
本発明は、ソケットとプラグとを嵌合させて、ソケットの一方の端部に接続される第１接続線とプラグの一方の端部に接続される第２接続線との中継を行うコネクタに利用可能である。
【符号の説明】
【００７０】
１：ソケット
２：プラグ
１１：第１ボディ
１１ａ：開口部
１１ｂ：最深部
１３：第１キャップ
１３ａ：孔部
１５：第１ケーブル（第１接続線）
１５ａ：芯線
１５ｂ：第１絶縁部
１５ｃ：第２絶縁部
２１：第２ボディ
２３：第２キャップ
２３ａ：孔部
２５：第２ケーブル（第２接続線）
１００：コネクタ
１１１：第１案内部
１１２：掛止め部
１１３：切欠部
２１１：第２案内部
２１２：ツメ部
【図１】
2010165483.tif 000003
【図２】
2010165483.tif 000004
【図３】
2010165483.tif 000005
【図４】
2010165483.tif 000006
【図５】
2010165483.tif 000007
【図６】
2010165483.tif 000008
【図７】
2010165483.tif 000009
【図８】
2010165483.tif 000010
【図９】
2010165483.tif 000011
【図１０】
2010165483.tif 000012